【手続補正書】
【提出日】平成25年11月1日(2013.11.1)
【手続補正１】
【補正対象書類名】特許請求の範囲
【補正対象項目名】全文
【補正方法】変更
【補正の内容】
【特許請求の範囲】
【請求項１】
複数の電力消費施設と接続された複数の分散型エネルギー資源（ＤＥＲ）を含む送電／配電電力グリッドのための分散型制御システムであって、
前記送電／配電電力グリッド及びその他の企業アプリケーションの少なくとも一方のための既存の監視制御及びデータ取得システムに、通信可能に接続される企業制御モジュールと、
前記ＤＥＲのうちの１つにそれぞれ一意的に関連付けられる複数の局所制御モジュールと、
前記企業制御モジュールと前記複数の局所制御モジュールの一部との間にそれぞれ介在する複数の地域制御モジュールと
を備え、
前記複数の地域制御モジュールの各々は、１地域内の動的電力管理及び隣接する地域との電力交換の少なくとも一方を実行する分散型制御システム。
【請求項２】
前記動的電力管理は、特定の動作制限内で前記送電／配電電力グリッドを維持するように局所電力潮流パラメータ及び地域電力潮流パラメータを調整し、
自己修正及び予測計算のうち少なくとも一方を含む
請求項１に記載の分散型制御システム。
【請求項３】
前記企業制御モジュールは、通信ネットワークと通信可能に接続されている請求項１又は２に記載の分散型制御システム。
【請求項４】
一の地域制御モジュールを、前記企業制御モジュールと別の地域制御モジュールとの間に介在させて、分散型システムを構成する請求項１から３のいずれか一項に記載の分散型制御システム。
【請求項５】
前記複数のＤＥＲは、エネルギーの生成、蓄積及び需要／負荷管理から構成される一群から選択される請求項１から４のいずれか一項に記載の分散型制御システム。
【請求項６】
送電／配電電力グリッドＤＥＲは、グリッド及び設備保護、電圧調整、電力潮流制御、コンデンサバンク及び変圧器からなる一群から選択される請求項１から５のいずれか一項に記載の分散型制御システム。
【請求項７】
前記企業制御モジュールは、前記複数の地域制御モジュール間の需要、及び、隣接する電力グリッド又は電力システムとの電力交換を管理する請求項１から６のいずれか一項に記載の分散型制御システム。
【請求項８】
前記複数の地域制御モジュール間の需要を管理することは、第２地域における需要の変化に応答して、第１地域における発電を変化させるべく、前記複数の地域制御モジュールに対する命令を起動することを含む請求項７に記載の分散型制御システム。
【請求項９】
前記複数の地域制御モジュール間の需要を管理することは、前記複数の地域制御モジュールの各々と関連付けられた複数の局所制御モジュール及び地域制御モジュールを再規定することを含む請求項７又は８に記載の分散型制御システム。
【請求項１０】
前記企業制御モジュールは、前記複数の局所制御モジュール及び前記複数の地域制御モジュールの少なくとも一方に対して、選択的にブロードキャスト制御命令を発行する請求項１から９のいずれか一項に記載の分散型制御システム。
【請求項１１】
前記分散型制御システムは、通信障害が発生した場合には、自立オペレーション方式に切り替え、通信が復旧した場合には、データを同期し、命令方式に戻る請求項１から１０のいずれか一項に記載の分散型制御システム。
【請求項１２】
前記分散型制御システムは、
前記複数の局所制御モジュールの各々とそれに関連付けられたＤＥＲとの間に介在するデバイスインターフェースを更に備え、
前記デバイスインターフェースは、前記関連付けられたＤＥＲが理解できるように、標準化された局所制御モジュール命令を変換し、前記局所制御モジュールが理解できる標準化されたメッセージへとＤＥＲ応答を変換する請求項１から１１のいずれか一項に記載の分散型制御システム。
【請求項１３】
前記複数の局所制御モジュールの各々は、接続された前記複数のＤＥＲのそれぞれに関するデータを収集する請求項１から１２のいずれか一項に記載の分散型制御システム。
【請求項１４】
前記データは、前記複数のＤＥＲのそれぞれの静的、動的又は制御応答の特性を含む請求項１３に記載の分散型制御システム。
【請求項１５】
前記複数の局所制御モジュールの各々は、前記複数のＤＥＲのそれぞれと前記複数の地域制御モジュールのそれぞれとの間の命令及び応答メッセージのうち少なくとも一方を標準化する請求項１から１４のいずれか一項に記載の分散型制御システム。
【請求項１６】
発電管理は、前記地域内の発電、負荷及び蓄電、及び、隣接する地域との電力交換の少なくとも一つに基づく請求項１から１５のいずれか一項に記載の分散型制御システム。
【請求項１７】
前記複数の地域制御モジュールのそれぞれによる各地域内における発電管理は、自立的に行われる請求項１から１６のいずれか一項に記載の分散型制御システム。
【請求項１８】
前記複数の地域制御モジュールの各々は、前記企業制御モジュールから発電命令を受信する及び前記発電命令に応答する請求項１から１７のいずれか一項に記載の分散型制御システム。
【請求項１９】
前記複数の地域制御モジュールのそれぞれは、制御命令を前記複数のＤＥＲに発行する前に、前記企業制御モジュールから受信した発電命令が、前記複数の地域制御モジュールのそれぞれと関連付けられている前記地域内の前記複数のＤＥＲ及び前記送電／配電電力グリッドの所定の制限内であるかを検証する請求項１８に記載の分散型制御システム。
【請求項２０】
前記発電命令は、動的に検証され、所定のシステム制限内に実際の発電量を維持するべく先制的に修正される請求項１８又は１９に記載の分散型制御システム。
【請求項２１】
前記企業制御モジュール、前記複数の地域制御モジュールの各々及び前記複数の局所制御モジュールの各々は、ユーザーインターフェースを介して認証されたユーザーから発行された命令を受信する及び前記命令に応答する請求項１から２０のいずれか一項に記載の分散型制御システム。
【請求項２２】
様々なシステム状態に対するシステム応答及びオペレーションを予測することができるモデリングモジュールを更に備える請求項１から２１のいずれか一項に記載の分散型制御システム。
【請求項２３】
前記モデリングモジュールは、前記複数のＤＥＲのオペレーションを割り当て、特定の電力潮流目標を満たすべく、モデル化された制御のセットを構築する請求項２２に記載の分散型制御システム。
【請求項２４】
前記モデル化された制御のセットを、直接前記システムに適用することができる請求項２３に記載の分散型制御システム。
【請求項２５】
コンピュータを、
複数の電力消費施設に接続された複数の分散型エネルギー資源（ＤＥＲ）を含む送電／配電電力グリッドを管理する手段と、
前記送電／配電電力グリッド内の電力潮流を企業制御モジュールにおいて管理する手段と、
複数のＤＥＲのうちの一部と関連付けられた１地域とそれぞれ関連付けられる複数の地域制御モジュールのうちの１以上で、前記企業制御モジュールからの電力要求を受信する手段と、
前記複数の地域制御モジュールの各々において、関連付けられた地域内の前記複数のＤＥＲを管理する手段として機能させるためのプログラム。
【請求項２６】
前記企業制御モジュールにおいて管理する手段は、自己修正及び予測計算のうち少なくとも一方を使用して特定の動作制限内で前記送電／配電電力グリッドを維持するように、前記送電／配電電力グリッド内の電力潮流パラメータを前記企業制御モジュールにおいて動的に管理する請求項２５に記載のプログラム。
【請求項２７】
前記コンピュータを、
前記企業制御モジュールにおいて、前記複数の地域制御モジュール及び複数のシステムユーザーの少なくとも一方のうちの少なくとも１つからの地域電力潮流要求を受信する手段として更に機能させる請求項２５又は２６に記載のプログラム。
【請求項２８】
前記コンピュータを、
前記複数の地域制御モジュール及び前記複数のシステムユーザーの少なくとも一方のうちの前記少なくとも１つから受信された地域電力潮流要求に応答して、前記企業制御モジュールにより地域電力潮流命令を発行する手段として更に機能させる請求項２７に記載のプログラム。
【請求項２９】
前記コンピュータを、
複数の局所制御モジュール及び複数のシステムユーザーの少なくとも一方のうちの少なくとも１つからの局所電力潮流要求を、前記複数の地域制御モジュールのうちの前記少なくとも１つにより受信する手段として更に機能させる請求項２７又は２８に記載のプログラム。
【請求項３０】
前記コンピュータを、
前記複数の局所制御モジュール及び複数のシステムユーザーの少なくとも一方のうちの前記少なくとも１つから受信した局所電力潮流要求に応答して、前記複数の地域制御モジュールのそれぞれにより局所電力潮流命令を発行する手段として更に機能させる請求項２９に記載のプログラム。
【請求項３１】
複数のＤＥＲを管理する手段は、局所制御モジュールを介して複数のＤＥＲに対して発行される標準化された制御命令を管理する請求項２５から３０のいずれか一項に記載のプログラム。
【請求項３２】
前記コンピュータを、
前記複数のＤＥＲの各々に関するデータを収集する手段として更に機能させる請求項２５から３１のいずれか一項に記載のプログラム。
【請求項３３】
前記コンピュータを、
第２地域における需要の変化に応答して、第１地域における電力潮流を変化させるべく、前記複数の地域制御モジュールの１以上に対する命令を起動する手段として更に機能させる請求項２５から３２のいずれか一項に記載のプログラム。
【請求項３４】
前記コンピュータを、
ユーザーが起動した要求に応答して、地域における電力潮流を変化させるべく、前記複数の地域制御モジュールの１以上に対する命令を開始する手段として更に機能させる請求項２５から３３のいずれか一項に記載のプログラム。
【請求項３５】
前記コンピュータを、
ユーザーが起動した要求に応答して又は自動的に、前記複数の地域制御モジュールの各々と関連付けられた前記複数のＤＥＲを再規定する手段として更に機能させる請求項２５から３４のいずれか一項に記載のプログラム。
【請求項３６】
前記コンピュータを、
予測された又は導出された電力潮流に基づいて、ＤＥＲの静的オペレーション及び動的オペレーションの少なくとも一方を決定する手段として更に機能させる請求項２５から３５のいずれか一項に記載のプログラム。
【請求項３７】
前記コンピュータを、
前記送電／配電電力グリッドの既存の接続性及び状態をリアルタイムに分析する手段として更に機能させる請求項２５から３６のいずれか一項に記載のプログラム。
【請求項３８】
前記コンピュータを、
前記送電／配電電力グリッドとは分離された地域の電力を自立的に運営する手段として更に機能させる請求項２５から３７のいずれか一項に記載のプログラム。
【請求項３９】
前記コンピュータを、
自立的に運営される地域のオペレーションを、前記送電／配電電力グリッドへと再び組みこむ及び同期させるべく、複数のＤＥＲを動的に管理する手段として更に機能させる請求項３８に記載のプログラム。
【請求項４０】
前記企業制御モジュール、前記複数の地域制御モジュール、複数の局所制御モジュール及び前記複数のＤＥＲ間の接続経路を修正する手段として更に機能させる請求項２５から３９のいずれか一項に記載のプログラム。
【請求項４１】
複数の分散型エネルギー資源（ＤＥＲ）を含む送電／配電電力グリッドを管理するためのコンピュータシステムであって、
前記コンピュータシステムは、
ソフトウェアとして具現化される命令を実行可能であり、送電／配電電力グリッドの既存の監視制御及びデータ取得システムと接続可能な機械と、
複数のソフトウェア部分と
を備え、
前記複数のソフトウェア部分の１つは、企業制御モジュールにおいて、前記送電／配電電力グリッド内の電力潮流を管理するよう構成され、
前記複数のソフトウェア部分の別の１つは、複数の地域制御モジュールの１以上において、前記企業制御モジュールからの電力要求を受信するよう構成され、
前記複数の地域制御モジュールの各々は、前記複数のＤＥＲの一部と関連付けられる１地域と関連付けられ、
前記複数のソフトウェア部分の更なる別の１つは、前記複数の地域制御モジュールの１以上において、前記複数の地域制御モジュールのうちの１つを介して、前記１以上の地域制御モジュールと関連付けられた前記地域内における前記複数のＤＥＲの１以上に対する命令を発行するように構成されるコンピュータシステム。
【請求項４２】
前記複数のＤＥＲの各々のためのＤＥＲインタフェースを備え、
前記ＤＥＲインタフェースの各々は、実装特定のコマンド及びデータを変換し、
前記複数のソフトウェア部分の１つは、自己修正及び予測計算のうち少なくとも一方を使用して特定の動作制限内で前記送電／配電電力グリッドを維持するように、前記送電／配電電力グリッド内の電力潮流パラメータを前記企業制御モジュールにおいて動的に管理するよう構成される請求項４１に記載のコンピュータシステム。
【請求項４３】
第２地域からの潮流要求に応答して、第１地域における電力潮流を修正するべく前記複数の地域制御モジュールの１以上に対する前記企業制御モジュールからの命令を起動するよう設定されたソフトウェア部分を更に備える請求項４１又は４２に記載のコンピュータシステム。
【請求項４４】
様々なシステム状態に対するシステム応答及びオペレーションを予測するソフトウェア部分を更に備える請求項４１から４３のいずれか一項に記載のコンピュータシステム。
【手続補正２】
【補正対象書類名】明細書
【補正対象項目名】０１１４
【補正方法】変更
【補正の内容】
【０１１４】
当技術分野に精通している者であれば、本発明の幾つかの部分は、本発明の精神又は主要な特徴の範囲内において、その他の特定の形式に具現化可能であることが理解できる。同様に、モジュール、マネージャ、機能、システム、エンジン、層、特徴、属性、方法及びその他の側面の具体的な名称及び区分は、必須又は意味のあるものではなく、本発明又はその特徴を実装する機械は、異なる名称、区分及び／又は形式を有していてもよい。また、当業者であれば理解できるように、本発明のモジュール、マネージャ、機能、システム、エンジン、層、特徴、属性、方法及びその他の側面は、ソフトウェア、ハードウェア、ファームウェア又はこれらの任意の組み合わせとして実装可能である。無論、本発明の構成要素又は部分が、ソフトウェアとして実装される場合、構成要素は、スクリプト、スタンドアローンプログラム、大きなプログラムの一部、複数の個別のスクリプト及び／又はプログラム、静的又は動的にリンクされたライブラリ、カーネル読み込み可能モジュール、デバイスドライバ、及び／又は、コンピュータプログラミングの分野の当業者に周知の又は将来周知となるその他の手段として実装することが可能である。更に、本発明は、特定のプログラミング言語、又は、特定のオペレーションシステム又は環境への実装に限定されない。したがって、本発明の開示は、例示することを意図しており、添付の特許請求の範囲に記載される本発明の範囲を限定することを意図していない。本発明の原理が、送電グリッドと関連付けて説明されたが、上記の説明は、一例に過ぎず、本発明の範囲を限定するものではない。特に、上記の開示の教示するところは、その他の変形例についても当業者に示唆していることが理解される。このような変形例は、本質的に周知のその他の特徴であって、上記で説明した特徴の替わりに又はこれに加えて使用されてもよいその他の特徴を伴ってもよい。本願では、特定の特徴の組み合わせによって特許請求の範囲が構成されているが、本開示の範囲は、新規の特徴、又は、黙示的又は明示的に開示されている特徴の新規の組み合わせ、又は、当業者に自明のそれらの一般化又は改良も含み、このような改良が特許請求されている同じ発明に関係するか否か、及び、本発明が直面する同じ技術的な問題の一部又は全てを解決するか否かに関わらず、改良が本発明の範囲に含まれる。出願人は、本願の審査の間及び派生する出願において、このような特徴及び／又はこのような特徴の組み合わせにより新規の請求項を構成する権利を有する。
［項目１］
機械によって実行可能な命令のプログラムを具現化するコンピュータ可読記憶媒体であって、
上記命令のプログラムは、
複数の電力消費施設に接続された複数の分散型エネルギー資源（ＤＥＲ）を含む送電／配電電力グリッドを管理するための複数のプログラムコードと、
上記送電／配電電力グリッド内の電力潮流を企業制御モジュールにおいて管理するためのプログラムコードと、
複数のＤＥＲのうちの一部と関連付けられた１地域とそれぞれ関連付けられる複数の地域制御モジュールのうちの１以上で、上記企業制御モジュールからの電力要求を受信するためのプログラムコードと、
上記複数の地域制御モジュール各々において、関連付けられた地域内の上記複数のＤＥＲを管理するためのプログラムコードと
を有するコンピュータ可読記憶媒体。
［項目２］
上記企業制御モジュールにおいて、上記複数の地域制御モジュール及び複数のシステムユーザーの少なくとも一方のうちの少なくとも１つからの地域電力潮流要求が受信される項目１に記載のコンピュータ可読記憶媒体。
［項目３］
上記複数の地域制御モジュール及び上記複数のシステムユーザーの少なくとも一方のうちの上記少なくとも１つから受信された地域電力潮流要求に応答して、上記企業制御モジュールにより地域電力潮流命令が発行される項目２に記載のコンピュータ可読記憶媒体。
［項目４］
複数の局所制御モジュール及び複数のシステムユーザーの少なくとも一方のうちの少なくとも１つからの局所電力潮流要求が、上記複数の地域制御モジュールのうちの上記少なくとも１つにおいて受信される項目２に記載のコンピュータ可読記憶媒体。
［項目５］
上記複数の局所制御モジュール及び複数のシステムユーザーの少なくとも一方のうちの上記少なくとも１つから受信した局所電力潮流要求に応答して、上記地域制御モジュールにより局所電力潮流命令が発行される項目４に記載のコンピュータ可読記憶媒体。
［項目６］
複数のＤＥＲを管理する上記プログラムコードは、局所制御モジュールを介して複数のＤＥＲに対して発行される標準化された制御命令のプログラムコードを含む項目１に記載のコンピュータ可読記憶媒体。
［項目７］
上記複数のＤＥＲの各々に関するデータを収集するためプログラムコードを更に備える項目１に記載のコンピュータ可読記憶媒体。
［項目８］
第２地域における需要の変化に応答して、第１地域における電力潮流を変化させるべく、上記複数の地域制御モジュールの１以上に対する命令を起動するためのプログラムコードを更に備える項目１に記載のコンピュータ可読記憶媒体。
［項目９］
ユーザーが起動した要求に応答して、地域における電力潮流を変化させるべく、上記複数の地域制御モジュールの１以上に対する命令を開始するためのプログラムコードを更に備える項目１に記載のコンピュータ可読記憶媒体。
［項目１０］
ユーザーが起動した要求に応答して又は自動的に、上記複数の地域制御モジュールの各々と関連付けられた上記複数のＤＥＲを再規定するためのプログラムコードを更に備える項目１に記載のコンピュータ可読記憶媒体。
［項目１１］
予測された又は導出された電力潮流に基づいて、ＤＥＲの静的オペレーション及び動的オペレーションの少なくとも一方を決定するためのプログラムコードを更に備える項目１に記載のコンピュータ可読記憶媒体。
［項目１２］
上記送電／配電電力グリッドの既存の接続性及び状態のリアルタイム分析のためのプログラムコードを更に備える項目１に記載のコンピュータ可読記憶媒体。
［項目１３］
上記送電／配電電力グリッドとは分離された地域の電力を自立的に運営するプログラムコードを更に備える項目１に記載のコンピュータ可読記憶媒体。
［項目１４］
自立的に運営される地域のオペレーションを、上記送電／配電電力グリッドへと再び組みこむ及び同期させるべく、複数のＤＥＲを動的に管理するプログラムコードを更に備える項目１３に記載のコンピュータ可読記憶媒体。